(57)【要約】      （修正有）【課題】できるだけ簡便に鼻と口の汚れと、目の汚れとを一挙に防ぐことができるようにしためがねマスクを提供する。【解決手段】板状透視部材の下端部を、その中央部並びに左側部及び右側部の位置においてマスクの上側縁に固着するようにしたことにより、マスク部の鼻抑え部材と、めがね部の耳掛部材とに基づいてユーザの顔に確実かつ安全に装着できる簡便なめがねマスクを得ることができる。【選択図】図１
0003113958.tif 000002
【実用新案登録請求の範囲】
【請求項１】
長方形状のマスク部材を有し、上記マスク部材の左側縁及び右側縁に耳掛部材を取り付けると共に、上側縁の中央部に鼻抑え部材を設けたマスク部と、
板状透視部材を有し、下端部を、上記マスク部の上記上側縁の中央部、並びに左側部及び右側部に対して、それぞれ固着部材によって固着しためがね部と
を具えることを特徴とするめがねマスク。
【請求項２】
上記固着部材は、上記めがね部の中央部において上記鼻抑え部材によってユーザの鼻柱の位置に上記めがね部を位置決めする第１の部材と、
上記第１の部材から左方及び右方にそれぞれ離間した左及び右側位置において上記耳掛部材の取付位置の近傍位置に上記めがね部を位置決めする第２及び第３の部材と
を有することを特徴とする請求項１に記載のめがねマスク。
【考案の詳細な説明】
【技術分野】
【０００１】
本考案はめがねマスクに関し、特に軽作業用に適用して好適なものである。
【背景技術】
【０００２】
従来、有害な粉塵やガスなどが飛散する例えばスプレイ塗装作業現場においては、顔部全体を覆うように頭から被るような防具を用いることが提案されている（特許文献１参照）のに対して、例えば天井や壁などを顔を上に向けて手塗り作業をするような、軽作業の作業現場では、周囲の状況に応じてマスクによって口と鼻を覆うようにしたり、当該マスクとは別にゴーグルを掛けて目を保護するようなこともある。
【特許文献１】特開２０００−２４１２７公報
【考案の開示】
【考案が解決しようとする課題】
【０００３】
ところが、実際上、比較的危険度が軽い作業現場になると、頭から被るような防具は、危険度の軽さにしては必要以上に大がかりであると同時に、取扱いも面倒であるので、作業者が使用し難い。
【０００４】
また危険度が軽い作業現場においても、口と鼻を汚さないためにマスクを用意すると共に、目を汚さないためにマスクとは別にめがねを用意することは不便である。
【０００５】
本考案は以上の点を考慮してなされたもので、できるだけ簡便に鼻と口の汚れと、目の汚れとを一挙に防ぐことができるようにしためがねマスクを提案しようとするものである。
【課題を解決するための手段】
【０００６】
かかる課題を解決するため本考案においては、板状透視部材でなるめがね部の下端部を、マスク部の上側縁の中央部、並びに左側部及び右側部に対して、それぞれ固着部材によって固着する。
【考案の効果】
【０００７】
本考案によれば、板状透視部材の下端部を、その中央部並びに左側部及び右側部の位置においてマスクの上側縁に固着するようにしたことにより、マスク部の鼻抑え部材と、めがね部の耳掛部材とに基づいてユーザの顔に確実かつ安全に装着できる簡便なめがねマスクを得ることができる。
【考案を実施するための最良の形態】
【０００８】
以下図面について、本考案の一実施の形態を詳述する。
【０００９】
図１はめがねマスク１を裏面側から見た裏面構造を示し、マスク部２とめがね部３とを有する。
【００１０】
マスク部２は、ポリプロピレン製の不織布でなる長方形状のマスク部材１１を有し、裏面側から見て、マスク部材１１の下端部１１Ａから順次、折返し線１２Ａ、１２Ｂ、１２Ｃ、１２Ｄ、１２Ｅ及び１２Ｆにおいて少しずつ折返し線の位置を上方にずらしながら前側に折り返すことにより、下端部１１Ａ及び上端部１１Ｄ間に２枚の中間折畳み部１１Ｂ及び１１Ｃを形成している。
【００１１】
これによりマスク部材１１は、ユーザがマスク部２によって顔を覆ったとき、中間折畳み部１１Ｂ及び１１Ｃの折畳みを上下方向に伸ばすことにより、前方に突き出る顔面形状に沿うようにマスク部材１１を配設することにより、鼻や口に外部から粉塵が入らないように防ぐことができるようになされている。
【００１２】
マスク部材１１の左及び右側縁部１３Ｌ及び１３Ｒと上及び下側縁部１３Ｕ及び１３Ｄは後面側に折り返えされて例えば熱溶着によって下端部１１Ａ、中間折畳み部１１Ｂ及び１１Ｃ並びに上端部１１Ｄに溶着線１４Ｌ及び１４Ｒ、並びに１４Ｕ１、１４Ｕ２及び１４Ｄによって熱溶着されている。
【００１３】
上側縁部１３Ｕの溶着線１４Ｕ１及び１４Ｕ２は上下方向に所定の間隔を保ってほぼ並行に左右方向に形成され、これにより溶着線１４Ｕ１及び１４Ｕ２間に上側縁１３Ｕが上端部１１Ｄに熱溶着されない空間を形成し、この空間に鼻抑え部材１５が挿入されている。
【００１４】
鼻抑え部材１５は板状又は線状軟鉄材で構成され、マスク部２をユーザの顔に当てた状態においてユーザが表面側から鼻抑え部材１５を鼻の表面に押し付けるように変形させたとき、その鼻柱の形状に沿う変形状態のまま変形を維持することにより、マスク部２の上端部１１Ｄがユーザの鼻柱の表面に保持される。
【００１５】
マスク部２の左及び右側縁１３Ｌ及び１３Ｒの上及び下端部にはそれぞれナイロン製ゴムひもでなる耳掛部材１６Ｌ及び１６Ｒの両端が固着部１７Ｌ１、１７Ｌ２及び１７Ｒ１、１７Ｒ２によって熱溶着により固着されている。
【００１６】
めがね部３は長方形状の無色透明な可撓性板状アクリル樹脂フィルムでなる透視部材２１を有し、この透視部材２１の下端部がマスク部材１１の上端縁１３Ｕに、糸目でなる中央固着部２２Ｔと左側及び右側固着部２２Ｌ及び２２Ｒとによって縫い付けられている。
【００１７】
以上の構成において、めがねマスク１の使用前においては、めがね部３の透視部材２１をマスク部２のマスク部材１１上に重ね合わせるように畳むと共に、当該透視部材２１とマスク部材１２との間に耳掛部材１６Ｌ及び１６Ｒを畳み込むことにより、全体としてほぼ透視部材２１の大きさでかつ薄手の製品（ビニール製包装袋に入れて市販される）として軽便に持ち運ぶことができる。
【００１８】
これに対して使用時には、透視部材２１を、マスク部材１１と同一平面になるように拡げて耳掛部材１６Ｌ及び１６Ｒをユーザの耳に掛けることにより、マスク部２がユーザの鼻及び口並びにその周辺を覆う状態に掛けられる。
【００１９】
このときめがね部３の透視部材２１は、中央固着部２２Ｔと左側及び右側固着部２２Ｌ及び２２Ｒとによって、マスク部２のマスク部材１１の上端縁１３Ｕに３箇所においてしっかり支持されていることにより、ユーザの顔表面の形状に応じて前後方向に湾曲してしっかりと顔の前面に配設される。
【００２０】
この状態においてユーザは、マスク部２の鼻抑え部材１５を鼻の表面に押し付けることによりマスク部材１１を鼻柱を挟むように変形させ、これによりマスク部材１１及び透視部材２１を安定性良く顔に装着できる。
【００２１】
このように鼻抑え部材１５を変形させたとき、当該鼻抑え部材１５の近傍に中央固着部２２Ｔが設けられていると共に、中央固着部２２Ｔと左側及び右側固着部２２Ｌ及び２２Ｒとの間には固着部材が形成されていないことにより、透視部材２１が顔の表面と対向しながら湾曲すると共に、マスク部材１１の上縁部１３Ｕと透視部材２１との間に隙間ができ、これによりユーザの息がマスク部材１１から透視部材２１に通り抜け難くなることにより、透視部材２１が息によって曇ることを抑制できる。
【００２２】
このようにしてユーザがマスク部２を顔に掛けた状態において、例えば部屋の天井を掃除したり塗装したりするような場合に、例え粉塵や塗料がユーザの顔に落ちてきたような場合でも、ユーザの目を透視部材２１によって保護し、かつユーザの鼻や口をマスク部材１１によって保護することができる。
【００２３】
以上の構成によれば、ユーザの顔にかかる粉塵がそれほど多くない軽作業の現場であれば、実用上十分にユーザの目や鼻及び口を有効に保護できる。
【００２４】
かくするにつき、持ち運ぶ際には、めがね部３をマスク部２上に折り畳むだけで簡便かつ安全に持ち運ぶことができると共に、めがねマスク１の各部材が簡易かつ安価なものであるので、透視部材２１及び又はマスク部材１１が汚れた場合には使い捨てができる利便性がある。
【００２５】
なお、上述の実施の形態においては、めがね部３の透視部材２１をマスク部２のマスク部材１１に固着する固着手段として、糸目によって縫い付けるようにしたが、これに代え、加熱プレスや、接着剤や、マジックテープ（登録商標）や、ボタンなどを用いて固着するようにしても、上述の場合と同様の効果を得ることができる。
【００２６】
また、上述の実施の形態においては、めがね部３の透視部材２１として可撓性を有するフィルムを用いるようにしたが、これに代え可撓性をもたない剛性のものを用いても上述の場合と同様の効果を得ることができる。
【００２７】
因にユーザがマスク部２の耳掛部材１６Ｌ及び１６Ｒによってめがねマスク１を顔に掛けたとき、例え透視部材２１が湾曲しないとしても、マスク部２の上縁部１３Ｕの中央部分において、透視部材２１と一体化されていない隙間部分を鼻抑え部材１５によって鼻柱に押付け保持することができることによりマスク部２によってユーザの鼻及び口を確実に覆うように顔に装着できると共に、透視部材２１が例え湾曲しないでも、マスク部材１１の上縁部１３Ｕの左右両端が耳掛部材１６Ｌ及び１６Ｒによってユーザの両耳の方向に引っ張られることにより実際上安定に保持できる。
【００２８】
かくしてユーザが軽作業をする際に、マスク部２及びめがね部３を安定かつ安全にユーザの顔に装着できる。
【００２９】
さらに、上述の実施の形態においては、透視部材２１として無色透明のものを用いたが、これに代え着色したものを用いることにより有害な光からユーザの目を保護するようにしても上述の場合と同様の効果を得ることができる。
【００３０】
さらに、上述の実施の形態においては、透視部材２１としてアクリル樹脂材料を用いたが、これに代え、塩化ビニール、ポリスチレン、ガラス、ポリエチレン、ポリカーボネイト、セルローズ、アセチロイゾ、ミストレス、ペトロイド、プラスチックを用いるようにしても良い。
【産業上の利用可能性】
【００３１】
本考案はユーザが比較的軽微な作業をする際の鼻及び口、並びに目の保護をするために利用できる。
【図面の簡単な説明】
【００３２】
【図１】本考案によるめがねマスクの裏面構造を示す背面図である。
【符号の説明】
【００３３】
１……めがねマスク、２……マスク部、３……めがね部、１１……マスク部材、１１Ａ……下端部、１１Ｂ、１１Ｃ……中間折畳み部、１１Ｄ……上端部、１２Ａ〜１２Ｆ……折返し線、１３Ｌ、１３Ｒ……左、右側縁部、１３Ｕ、１３Ｄ……上、下側縁部、１４Ｌ、１４Ｒ、１４Ｕ１、１４Ｕ２、１４Ｄ……溶着線、１５……鼻抑え部材、１６Ｌ、１６Ｒ……耳掛部材、１７Ｌ１、１７Ｌ２、１７Ｒ１、１７Ｒ２……溶着部、２１……透視部材、２２Ｔ……中央固着部、２２Ｌ、２２Ｒ……左及び右側固着部。
【図１】
0003113958.tif 000003